【手続補正書】
【提出日】平成19年10月15日(2007.10.15)
【手続補正１】
【補正対象書類名】明細書
【補正対象項目名】全文
【補正方法】変更
【補正の内容】
【書類名】  明細書
【発明の名称】  洗濯機
【特許請求の範囲】
【請求項１】  洗濯槽と、この洗濯槽を内包する外槽と、前記洗濯槽内に水道水を給水する第１の給水手段と、風呂水を給水する第２の給水手段と、前記第１および第２の給水手段の動作回数をカウントするカウント手段と、使用者に報知する報知手段とを備え、前記カウント手段は、前記第１および第２の給水手段のそれぞれの動作回数をカウントし、この両動作回数に異なる係数を乗じ、その乗じた後の両動作回数の和を算出し、前記両動作回数の和が所定回数に達した時点で、前記報知手段により報知するようにし、前記報知手段の報知によって選択可能な槽洗いコースを有するように構成した洗濯機。
【請求項２】  カウント手段は、洗濯行程とすすぎ１回目での第１の給水手段および第２の給水手段の動作回数をカウントするようにした請求項１記載の洗濯機。
【請求項３】  報知手段が動作する給水回数の設定を変更可能にした請求項１または２に記載の洗濯機。
【発明の詳細な説明】
【０００１】
【発明の属する技術分野】
本発明は、洗濯槽内を洗浄する機能を有する洗濯機に関するものである。
【０００２】
【従来の技術】
従来、洗濯機は、図１０に示すように構成していた。以下、その構成について説明する。
【０００３】
図１０に示すように、外槽１は、回転自在に配設した洗濯兼脱水槽２を内包し、吊り棒３により洗濯機外枠４に吊り下げている。モータ５は、Ｖベルト６および減速機構７を介して洗濯兼脱水槽２および洗濯兼脱水槽２の内底部に回転自在に配設した撹拌翼８を回転駆動する。洗濯兼脱水槽２の上部には、液体を内封した液体バランサー９を固定し、外槽１の上面は、外槽カバー１０によって覆っている。
【０００４】
給水弁１１は、洗濯兼脱水槽２内に水を給水するものであり、水位検知手段１２は、外槽１内の水位を検知するもので、排水弁１３は外槽１内の洗濯水を排水するものである。外槽１を収納している洗濯機外枠４の上部は、制御装置１４、給水弁１１、水位検知手段１２を収納した外枠カバー１５によって覆っている。外枠カバー１５の略中央には、洗濯物の出し入れを行う穴部を有し、この穴部に、蓋１６を開閉自在に配設している。また、制御装置１４は、モータ５、給水弁１１、排水弁１３などを制御して、洗濯、すすぎ、脱水の各行程を逐次制御するものである。
【０００５】
上記構成において動作を説明すると、洗濯兼脱水槽２内に洗濯物を投入した後、スタートスイッチ（図示せず）を押すと、布量検知手段（図示せず）が作動し、洗濯兼脱水槽２内に投入した洗濯物の量を検知し、洗濯に必要な水量を決定する。その後、制御装置１４が作動して、給水弁１１と水位検知手段１２を制御して所定水量まで外槽１に洗濯水を給水した後、モータ５を駆動して撹拌翼８を回転し、洗濯行程を実行する。
【０００６】
【発明が解決しようとする課題】
このような構成の洗濯機では、洗濯兼脱水槽２の外面部表面や外槽１の内面部表面に洗濯物の皮脂汚れと水道水中のカルシウムイオンが反応して生じる不溶性の粘着性異物や洗剤中のアニオン界面活性剤と水道水中のカルシウムイオンが反応して生じる金属石鹸分などが付着する。
【０００７】
これらの異物は、時間とともに洗濯物に付着している微生物などによって、徐々にバイオフィルムや黒カビなどに変成することが知られている。そして、これらに異物は、洗濯時の水流などによって付着表面から剥離し、洗濯兼脱水槽２内の洗濯物を汚染してしまうという問題を有していた。
【０００８】
そこで、このように洗濯兼脱水槽２内に異物が生じた場合は、特殊な洗浄剤を使用したり、洗濯兼脱水槽２内の異物除去を目的として、槽を洗浄するコースを運転するなどして異物の除去を行っていた。しかしながら、いずれの方法も異物による洗濯物の汚染が発生した後の処置であり、洗濯物の異物汚染を未然に防止するものではないという問題点があった。
【０００９】
本発明は上記従来の課題を解決するもので、洗濯槽内の異物発生などの汚染状況を予測し、異物による洗濯物の汚染が発生する前に使用者に洗濯槽内の異物除去の必要性を報知し、洗濯槽内の異物を除去できるようにすることを目的としている。
【００１０】
【課題を解決するための手段】
本発明は上記目的を達成するために、洗濯槽を外槽に内包し、第１の給水手段により洗濯槽内に水道水を給水し、第２の給水手段により風呂水を給水し、カウント手段により第１および第２の給水手段の動作回数をカウントし、報知手段により使用者に報知するようにし、カウント手段は、第１および第２の給水手段のそれぞれの動作回数をカウントし、この両動作回数に異なる係数を乗じ、その乗じた後の両動作回数の和を算出し、両動作回数の和が所定回数に達した時点で、これを報知手段により報知するようにし、報知手段の報知によって選択可能な槽洗いコースを有するように構成したものである。
【００１１】
これにより、石鹸カスが発生しやすい水道水給水と、湯垢が発生しやすい風呂水給水の給水回数をカウントすることにより、洗濯槽の外面部表面や外槽の内面部表面に生じるバイオフィルムや黒カビなどの異物による汚染状況をさらに精度よく報知することができて、異物による洗濯物の汚染が発生する前に洗濯槽内の異物除去の必要性を認識することができるとともに、水道水や風呂水の使われ方に応じた異物による洗濯槽内の汚染状態を一段と精度よく報知することができ槽洗いコースを選択することで、洗濯槽内の異物を除去することができる。
【００１２】
【発明の実施の形態】
本発明の請求項１に記載の発明は、洗濯槽と、この洗濯槽を内包する外槽と、前記洗濯槽内に水道水を給水する第１の給水手段と、風呂水を給水する第２の給水手段と、前記第１および第２の給水手段の動作回数をカウントするカウント手段と、使用者に報知する報知手段とを備え、前記カウント手段は、前記第１および第２の給水手段のそれぞれの動作回数をカウントし、この両動作回数に異なる係数を乗じ、その乗じた後の両動作回数の和を算出し、前記両動作回数の和が所定回数に達した時点で、前記報知手段により報知するようにし、前記報知手段の報知によって選択可能な槽洗いコースを有するように構成したものであり、石鹸カスが発生しやすい水道水給水と、湯垢が発生しやすい風呂水給水の給水回数をカウントすることにより、洗濯槽の外面部表面や外槽の内面部表面に生じるバイオフィルムや黒カビなどの異物による汚染状況をさらに精度よく報知することができて、異物による洗濯物の汚染が発生する前に洗濯槽内の異物除去の必要性を認識することができるとともに、水道水や風呂水の使われ方に応じた異物による洗濯槽内の汚染状態を一段と精度よく報知することができ、槽洗いコースを選択することで、洗濯槽内の異物を除去することができ、洗濯物の汚染を未然に防止することができる。
【００１３】
請求項２に記載の発明は、上記請求項１に記載の発明において、カウント手段は、洗濯行程とすすぎ１回目での第１の給水手段および第２の給水手段の動作回数をカウントするようにしたものであり、石鹸カスが最も発生しやすい洗濯時とすすぎ１回目の水道水給水回数と風呂水の給水ポンプ動作回数をカウントすることにより、異物による洗濯槽の汚染状態をさらに精度よく報知することができ、槽洗いコースを選択することで、洗濯槽内の異物を除去することができ、洗濯物の汚染を未然に防止することができる。
【００１４】
請求項３に記載の発明は、上記請求項１または２に記載の発明において、報知手段が動作する給水回数の設定を変更可能にしたものであり、洗濯機の使用条件に応じて報知手段の報知タイミングを適切に設定することができ、異物による洗濯槽内の汚染状態を洗濯機使用実態に応じて、さらに精度よく報知することができる。
【００１５】
【実施例】
以下、本発明の実施例について、図面を参照しながら説明する。
【００１６】
（実施例１）
図２に示すように、外槽１７は、回転自在に配設した洗濯兼脱水槽（洗濯槽）１８を内包し、吊り棒１９により洗濯機外枠２０に吊り下げている。モータ２１は、Ｖベルト２２および減速機構２３を介して洗濯兼脱水槽１８および洗濯兼脱水槽１８の内底部に回転自在に配設した撹拌翼２４を回転駆動する。洗濯兼脱水槽１８の上部には、液体を内封した液体バランサー２５を固定し、外槽１７上面は、外槽カバー２６によって覆われている。
【００１７】
給水弁（給水手段）２７は、洗濯兼脱水槽１８内に水道水を給水するものであり、給水ポンプ２８は、風呂水などを給水するものである。水位検知手段２９は、外槽１７内の水位を検知するもので、排水弁３０は外槽１７内の洗濯水を排水するものである。外槽１７を収納している洗濯機外枠２０の上部は、制御装置３１、給水弁２７、給水ポンプ２８、水位検知手段２９を収納した外枠カバー３２によって覆っている。外枠カバー３２の略中央には、洗濯物の出し入れを行う穴部を有し、この穴部には、蓋３３を開閉自在に配設している。
【００１８】
制御装置３１は、図１に示すように構成しており、制御手段３４は、マイクロコンピュータで構成し、設定手段３５によって設定した運転内容に基づきパワースイッチング手段３６を介してモータ２１、給水弁２７、給水ポンプ２８、排水弁３０などの動作を制御し、洗濯、すすぎ、脱水などの一連の行程を逐次制御する。第１のカウント手段３７は、洗濯機の運転回数をカウントするもので、設定手段３５により入力した運転内容が終了した時点で運転回数をカウントし、その運転回数を記憶するよう構成している。
【００１９】
第１のカウント回数判定手段３８は、内部に所定の判定基準値を有しており、第１のカウント手段３７でカウントし、記憶した運転回数がその判定基準値を上回るかどうかを判定する。報知手段３９は、第１のカウント手段で、カウントし記憶された運転回数が第１のカウント回数判定手段３８の判定基準値を上回った場合、使用者に報知を行うものである。
【００２０】
さらに、制御手段３４は、設定手段３５により設定した入力により槽洗いコースを選択可能としている。槽洗いコースは、洗浄剤を含む洗浄液で、洗濯兼脱水槽１８の外面部表面や外槽１７の内面部表面などを洗う洗い行程と、この洗い行程の後に行うすすぎ行程とを有し、洗い行程は、所定の濃度の洗浄液による洗濯兼脱水槽１８の間欠的な回転を伴うつけおき行程と、このつけおき行程の後に撹拌翼２で洗濯槽３内の洗浄液を撹拌する撹拌行程とを有している。
【００２１】
上記構成において動作を説明する。洗濯兼脱水槽１８内に洗濯物を投入した後、設定手段３５により運転内容を設定し、スタートスイッチ（図示せず）を押して運転を開始する。設定手段３５によって設定した運転内容は、制御手段３４により、パワースイッチング手段３６を介してモータ２１、給水弁２７、給水ポンプ２８、排水弁３０を制御して逐次実行する。
【００２２】
運転内容が終了すると、第１のカウント手段３７が運転回数をカウントする。第１のカウント手段３７は、このように設定手段３５により設定した運転内容が終了することによりカウント数を増大していく。そして、第１のカウント手段３７でカウントした運転回数は、第１のカウント回数判定手段３８で判定する。
【００２３】
つまり、第１のカウント回数判定手段３８には、所定の判定基準値が設定されており、洗濯機の運転が終了するごとに、第１のカウント手段３７でカウントした運転回数が、その判定基準値を上回っていないかを判定する。そして、第１のカウント回数判定手段３８は、第１のカウント手段３７でカウントした運転回数が判定基準値を上回ったと判定した場合、洗濯兼脱水槽１８の外面部表面や外槽の内面部表面がバイオフィルムや黒カビなどの異物により汚染されていると予測し、報知手段３９に信号を送る。報知手段３９は、第１のカウント回数判定手段３８からの信号を受けて報知する。
【００２４】
報知手段３９による報知により、使用者は、設定手段３５により槽洗いコースを選択して入力設定し、槽洗いコースの運転を開始する。槽洗いコースの運転を開始すると、給水弁２７と水位検知手段２９により、洗濯兼脱水槽１８内に所定水位まで給水し、洗浄剤を投入して撹拌翼２４を所定時間回転させ、洗浄剤の溶解を行うとともに、均一な所定の濃度の洗浄液を作成する。
【００２５】
ついで、洗濯槽１８の間欠的な回転を伴うつけおき行程に入り、洗濯兼脱水槽１８の回転数が上昇することにより洗濯兼脱水槽１８の洗浄液を撹拌する力が増大し、洗濯兼脱水槽１８内の水面中央部が下降し、洗濯兼脱水槽１８と外槽１７の間の水面が上昇し、洗濯兼脱水槽１８の外面部表面や外槽１７の内面部表面にも洗浄剤が行き渡り、洗浄液を異物に十分作用させて異物を剥がし、除去することができる。
【００２６】
その後、撹拌行程に入り、洗浄液により、撹拌翼２４の裏面などに堆積した異物を剥がし、除去することができる。ついで、排液行程に入り、排水弁３０を作動させ、洗濯兼脱水槽１８内の洗浄液を排水し、その後、すすぎ行程に移行する。
【００２７】
このように本実施例によれば、第１のカウント手段３７によりカウントした運転回数が所定回数に達した時点で、報知手段３９により報知することにより、異物による洗濯物の汚染が発生する前に洗濯兼脱水槽１８内の異物除去の必要性を認識することができ、槽洗いコースを選択し設定することで、洗濯兼脱水槽１８の外面部表面や外槽の内面部表面などの異物を除去することができ、洗濯物の汚染を未然に防止することができる。
【００２８】
なお、本実施例では、槽洗いコースは、洗い行程と、この洗い行程の後に行うすすぎ行程とを有し、洗い行程は、洗濯兼脱水槽１８の間欠的な回転を伴うつけおき行程と、このつけおき行程の後に撹拌翼２で洗濯槽３内の洗浄液を撹拌する撹拌行程とを有しているが、これに限定するものでなく、洗濯兼脱水槽１８の外面部表面や外槽の内面部表面など洗濯液が接触し異物が堆積する箇所に、洗浄液が行き渡り、洗浄液を異物に十分作用させ、異物を剥がせるコースであればよい。
【００２９】
（実施例２）
図３に示すように、制御装置４０は、マイクロコンピュータで構成した制御手段４１を有しており、制御手段４１は、パワースイッチング手段４２を介してモータ２１、給水弁２７、給水ポンプ２８、排水弁３０などの動作を制御し、洗濯、すすぎ、脱水などの一連の行程を逐次制御する。
【００３０】
第２のカウント手段４３は、給水弁２７の動作回数をカウントするもので、設定手段４４により入力した運転内容が終了した時点で給水弁２７の動作回数をカウントし、記憶するよう構成している。また、第２のカウント回数判定手段４５は、内部に所定の判定基準値を有しており、第２のカウント手段４３でカウントし記憶した給水弁２７の動作回数がその判定基準値を上回るかどうかを判定する。
【００３１】
報知手段４６は、第２のカウント手段４３でカウントし記憶した動作回数が第２のカウント回数判定手段４６の判定基準値を上回った場合、使用者に報知を行うものである。洗濯機の構成など他の構成は上記実施例１と同じであり説明を省略する。
【００３２】
上記構成において動作を説明する。洗濯兼脱水槽１８内に洗濯物を投入した後、設定手段４４により運転内容を設定し、スタートスイッチ（図示せず）を押して運転を開始する。設定手段４４によって設定した運転内容は、制御手段４１により、パワースイッチング手段４２を介してモータ２１、給水弁２７、給水ポンプ２８、排水弁３０を制御して逐次実行する。
【００３３】
運転内容が進行するとともに第２のカウント手段４３が給水弁２７の動作回数をカウントする。第２のカウント手段４３は、このように設定手段４４により設定した運転内容によって、給水弁２７が動作することによりカウント数を増大していく。
【００３４】
第２カウント手段４３でカウントした動作回数は、第２のカウント回数判定手段４５で判定する。つまり、第２のカウント回数判定手段４５には、所定の判定基準値が設定されており、洗濯機の運転内容が終了するごとに、第２のカウント手段４３でカウントした動作回数がその判定基準値を上回っていないかを判定する。
【００３５】
そして、第２のカウント回数判定手段４５は、第２のカウント手段４３でカウントした給水弁２７の動作回数が、判定基準値を上回ったと判定した場合、報知手段４６に信号を送る。報知手段４６は、第２のカウント回数判定手段４５からの信号を受けて報知を行う。
【００３６】
報知手段４６による報知により、使用者は、設定手段４４により槽洗いコースを選択して入力設定し、槽洗いコースの運転を開始することにより、洗濯兼脱水槽１８の外面部表面や外槽１７の内面部表面、撹拌翼２４の裏面などに堆積した異物を剥がし、除去することができる。
【００３７】
このように本実施例によれば、第２のカウント手段４３によりカウントした給水回数が所定回数に達した時点で報知するので、石鹸カスが発生しやすい給水回数をカウントすることにより、洗濯兼脱水槽１８の外面部表面や外槽１７の内面部表面に生じる異物による汚染状況を精度よく報知することができ、異物による洗濯物の汚染が発生する前に洗濯兼脱水槽１８内の異物除去の必要性を認識することができ、槽洗いコースを選択し設定することで、洗濯兼脱水槽１８の外面部表面や外槽の内面部表面などの異物を除去することができ、洗濯物の汚染を未然に防止することができる。
【００３８】
（実施例３）
図４に示すように、制御装置４７は、マイクロコンピュータで構成した制御手段４８を有しており、制御手段４８は、パワースイッチング手段４９を介してモータ２１、給水弁２７、給水ポンプ２８、排水弁３０などの動作を制御し、洗濯、すすぎ、脱水などの一連の行程を逐次制御する。
【００３９】
第３のカウント手段５０は、給水ポンプ２８の動作回数をカウントするもので、設定手段５１により入力した運転内容が終了した時点で、給水ポンプ２８の動作回数をカウントし記憶するよう構成している。また、第３のカウント回数判定手段５２は、内部に所定の判定基準値を有しており、第３のカウント手段５０で、カウントし記憶した給水ポンプ２８の動作回数がその判定基準値を上回るかどうかを判定する。
【００４０】
報知手段５３は、第３のカウント手段５０でカウントし記憶した動作回数が第３のカウント回数判定手段５２の判定基準値を上回った場合、使用者に報知を行うものである。洗濯機の構成など他の構成は上記実施例１と同じであり説明を省略する。
【００４１】
上記構成において動作を説明する。洗濯兼脱水槽１８内に洗濯物を投入した後、設定手段５１により運転内容を設定し、スタートスイッチ（図示せず）を押して運転を開始する。設定手段５１によって、設定した運転内容は、制御手段４８により、パワースイッチング手段４９を介してモータ２１、給水弁２７、給水ポンプ２８、排水弁３０を制御して逐次実行する。
【００４２】
運転内容が進行するとともに第３のカウント手段５０が給水ポンプ２８の動作回数をカウントする。第３のカウント手段５０は、このように設定手段５１により設定した運転内容によって、給水ポンプ２８が動作することによりカウント数を増大していく。
【００４３】
第３カウント手段５０でカウントした動作回数は、第３のカウント回数判定手段５２で判定する。つまり、第３のカウント回数判定手段５２には、所定の判定基準値が設定されており、洗濯機の運転内容が終了するごとに、第３のカウント手段５０でカウントした動作回数がその判定基準値を上回っていないかを判定する。
【００４４】
そして、第３のカウント回数判定手段５２は、第３のカウント手段５０でカウントした給水ポンプ２８の動作回数が判定基準値を上回ったと判定した場合、報知手段５３に信号を送る。報知手段５３は、第３のカウント回数判定手段５２からの信号を受けて報知を行う。
【００４５】
報知手段５３による報知により、使用者は、設定手段５１により槽洗いコースを選択して入力設定し、槽洗いコースの運転を開始することにより、洗濯兼脱水槽１８の外面部表面や外槽１７の内面部表面、撹拌翼２４の裏面などに堆積した異物を剥がし、除去することができる。
【００４６】
このように本実施例によれば、第３のカウント手段５０によりカウントした給水ポンプ２８の給水回数が所定回数に達した時点で報知するので、湯垢が発生しやすい風呂水給水の給水回数をカウントすることにより、洗濯兼脱水槽１８の外面部表面や外槽１７の内面部表面に生じる異物による汚染状況を精度よく報知することができ、異物による洗濯物の汚染が発生する前に洗濯兼脱水槽１８内の異物除去の必要性を認識することができ、槽洗いコースを選択し設定することで、洗濯兼脱水槽１８の外面部表面や外槽の内面部表面などの異物を除去することができ、洗濯物の汚染を未然に防止することができる。
【００４７】
（実施例４）
図５に示すように、制御装置５４は、マイクロコンピュータで構成した制御手段５５を有しており、制御手段５５は、パワースイッチング手段５６を介してモータ２１、水道水を給水する給水弁（第１の給水手段）、風呂水を給水する給水ポンプ（第２の給水手段）、排水弁３０などの動作を制御し、洗濯、すすぎ、脱水などの一連の行程を逐次制御する。
【００４８】
第４のカウント手段５７は、給水弁２７および給水ポンプ２８での動作回数をカウントするもので、設定手段５８により入力した運転内容が終了した時点で、給水弁２７および給水ポンプ２８が動作した回数をカウントし、記憶するよう構成している。また、第４のカウント回数判定手段５９は、内部に所定の判定基準値を有しており、第４のカウント手段５７でカウントし記憶した給水弁２７と給水ポンプ２８の動作回数が、その判定基準値を上回るかどうかを判定する。
【００４９】
報知手段６０は、第４のカウント手段５７でカウントし記憶した動作回数が第４のカウント回数判定手段５９の判定基準値を上回った場合、使用者に報知を行うものである。洗濯機の構成など他の構成は上記実施例１と同じであり説明を省略する。
【００５０】
上記構成において動作を説明する。洗濯兼脱水槽１８内に洗濯物を投入した後、設定手段５８により運転内容を設定し、スタートスイッチ（図示せず）を押して運転を開始する。設定手段５１によって設定した運転内容は、制御手段５５により、パワースイッチング手段５６を介してモータ２１、給水弁２７、給水ポンプ２８、排水弁３０を制御して逐次実行する。
【００５１】
運転内容が進行するとともに第４のカウント手段５７が給水弁２７と給水ポンプ２８の動作回数をカウントする。第４のカウント手段５７は、このように設定手段５８により設定した運転内容によって、給水弁２７、給水ポンプ２８が動作することによりカウント数を増大していく。
【００５２】
第４のカウント手段５７でカウントした動作回数は、第４のカウント回数判定手段５９で判定する。つまり、第４のカウント回数判定手段５９には、所定の判定基準値が設定されており、洗濯機の運転内容が終了するごとに、第４のカウント手段５７でカウントした動作回数がその判定基準値を上回っていないかを判定する。
【００５３】
そして、第４のカウント回数判定手段５９は、第４のカウント手段５７でカウントした給水弁２７と給水ポンプ２８の動作回数が判定基準値を上回ったと判定した場合、報知手段６０に信号を送る。報知手段６０は、第４のカウント回数判定手段５９からの信号を受けて報知を行う。
【００５４】
報知手段６０による報知により、使用者は、設定手段５８により槽洗いコースを選択して入力設定し、槽洗いコースの運転を開始することにより、洗濯兼脱水槽１８の外面部表面や外槽１７の内面部表面、撹拌翼２４の裏面などに堆積した異物を剥がし、除去することができる。
【００５５】
このように本実施例によれば、第４のカウント手段５７によりカウントした動作回数が所定回数に達した時点で報知するので、石鹸カスが発生しやすい水道水給水と、湯垢が発生しやすい風呂水給水の給水回数をカウントすることにより、洗濯兼脱水槽１８の外面部表面や外槽１７の内面部表面に生じる異物による汚染状況をさらに精度よく報知することができ、異物による洗濯物の汚染が発生する前に洗濯兼脱水槽１８内の異物除去の必要性を認識することができ、槽洗いコースを選択し設定することで、洗濯兼脱水槽１８の外面部表面や外槽の内面部表面などの異物を除去することができ、洗濯物の汚染を未然に防止することができる。
【００５６】
（実施例５）
図６に示すように、制御装置６１は、マイクロコンピュータで構成した制御手段６２を有しており、制御手段６２は、パワースイッチング手段６３を介してモータ２１、水道水を給水する給水弁（第１の給水手段）２７、風呂水を給水する給水ポンプ（第２の給水手段）２８、排水弁３０などの動作を制御し、洗濯、すすぎ、脱水などの一連の行程を逐次制御する。
【００５７】
第５のカウント手段６４は、給水弁２７および給水ポンプ２８でのそれぞれの動作回数をカウントするもので、設定手段６５により設定した運転内容の進行とともに、給水弁２７および給水ポンプ２８が動作した回数を逐次カウントし、記憶するよう構成している。なお、第５のカウント手段６４は、給水弁２７と給水ポンプ２８の両動作回数に異なる係数を乗じ、その乗じた後の両動作回数の和を動作回数とするよう構成している。
【００５８】
第５のカウント回数判定手段６６は、内部に所定の判定基準値を有しており、第５のカウント手段６４でカウントし、記憶した給水弁２７と給水ポンプ２８の動作回数が、その判定基準値を上回るかどうかを判定する。
【００５９】
報知手段６７は、第５のカウント手段６４で、カウントし記憶した動作回数が第５のカウント回数判定手段６６の判定基準値を上回った場合、使用者に報知を行うものである。洗濯機の構成など他の構成は上記実施例１と同じであり説明を省略する。
【００６０】
上記構成において動作を説明する。洗濯兼脱水槽１８内に洗濯物を投入した後、設定手段６５により運転内容を設定し、スタートスイッチ（図示せず）を押して運転を開始する。設定手段６５によって設定した運転内容は、制御手段６２により、パワースイッチング手段６３を介してモータ２１、給水弁２７、給水ポンプ２８、排水弁３０を制御して逐次実行する。
【００６１】
運転内容が進行するとともに第５のカウント手段６４が給水弁２７と給水ポンプ２８の動作回数をそれぞれカウントする。第５のカウント手段６４は、このように設定手段６５により設定した運転内容によって、給水弁２７、給水ポンプ２８が動作することにより、両動作回数に異なる係数を乗じ、その乗じた後の両動作回数の和を動作回数として、カウント数を増大していく。
【００６２】
第５のカウント手段６４でカウントした動作回数は、第５のカウント回数判定手段６６で判定する。つまり、第５のカウント回数判定手段６６には所定の判定基準値が設定されており、洗濯機の運転内容が終了するごとに、第５のカウント手段６４でカウントした動作回数がその判定基準値を上回っていないかを判定する。
【００６３】
そして、第５のカウント回数判定手段６６は、第５のカウント手段６４でカウントした給水弁２７と給水ポンプ２８の両動作回数に異なる係数を乗じ、その乗じた後の両動作回数の和が判定基準値を上回ったと判定した場合、報知手段６７に信号を送る。報知手段６７は、第５のカウント回数判定手段６６からの信号を受けて報知を行う。
【００６４】
報知手段６７による報知により、使用者は、設定手段６５により槽洗いコースを選択して入力設定し、槽洗いコースの運転を開始することにより、洗濯兼脱水槽１８の外面部表面や外槽１７の内面部表面、撹拌翼２４の裏面などに堆積した異物を剥がし、除去することができる。
【００６５】
このように本実施例によれば、給水弁２７と給水ポンプ２８の両動作回数に異なる係数を乗じ、その乗じた後の両動作回数の和が所定回数に達した時点で報知するので、水道水や風呂水の使われ方に応じた異物による洗濯兼脱水槽１８の外面部表面や外槽１７の内面部表面の汚染状況を一段と精度よく報知することができ、槽洗いコースを選択することで、洗濯槽内の異物を除去することができ、洗濯物の汚染を未然に防止することができる。
【００６６】
（実施例６）
図７に示すように、制御装置６８は、マイクロコンピュータで構成した制御手段６９を有しており、制御手段６９は、パワースイッチング手段７０を介してモータ２１、水道水を給水する給水弁（第１の給水弁手段）２７、風呂水を給水する給水ポンプ（第２の給水手段）２８、排水弁３０などの動作を制御し、洗濯、すすぎ、脱水などの一連の行程を逐次制御する。
【００６７】
第６のカウント手段７１は、給水弁２７および給水ポンプ２８のそれぞれの洗濯行程とすすぎ１回目の動作回数をカウントするもので、設定手段７２により設定した運転内容の進行とともに、給水弁２７および給水ポンプ２８が洗濯行程とすすぎ１回目に動作した動作回数を逐次カウントし、記憶するよう構成している。なお、第６のカウント手段７１は、給水弁２７と給水ポンプ２８の洗濯行程とすすぎ１回目の両動作回数に異なる係数を乗じ、その乗じた後の両動作回数の和を動作回数とするよう構成している。
【００６８】
第６のカウント回数判定手段７３は、内部に所定の判定基準値を有しており、第６のカウント手段７１でカウントし記憶した給水弁２７と給水ポンプ２８の洗濯行程とすすぎ１回目の動作回数が、その判定基準値を上回るかどうかを判定する。
【００６９】
報知手段７４は、第６のカウント手段７１でカウントし記憶した動作回数が第６のカウント回数判定手段７３の判定基準値を上回った場合、使用者に報知を行うものである。洗濯機の構成など他の構成は上記実施例１と同じであり説明を省略する。
【００７０】
上記構成において動作を説明する。洗濯兼脱水槽１８内に洗濯物を投入した後、設定手段７２により、運転内容を設定し、スタートスイッチ（図示せず）を押して運転を開始する。設定手段７２によって設定した運転内容は、制御手段６９により、パワースイッチング手段７０を介してモータ２１、給水弁２７、給水ポンプ２８、排水弁３０を制御して逐次実行する。
【００７１】
運転内容が進行するとともに第６のカウント手段７１が給水弁２７と給水ポンプ２８の洗濯行程とすすぎ１回目の動作回数をそれぞれカウントする。第６のカウント手段７１は、このように設定手段７２により設定した運転内容によって、給水弁２７、給水ポンプ２８が洗濯行程とすすぎ１回目に動作することにより、両動作回数に異なる係数を乗じ、その乗じた後の両動作回数の和を動作回数として、カウント数を増大していく。
【００７２】
第６のカウント手段７１でカウントした動作回数は、第６のカウント回数判定手段７３で判定する。つまり、第６のカウント回数判定手段７３には、所定の判定基準値が設定されており、洗濯機の運転内容が終了するごとに、第６のカウント手段７１でカウントした動作回数がその判定基準値を上回っていないかを判定する。
【００７３】
そして、第６のカウント回数判定手段７３は、第６のカウント手段７１でカウントした給水弁２７と給水ポンプ２８の洗濯行程とすすぎ１回目の両動作回数に異なる係数を乗じ、その乗じた後の両動作回数の和が判定基準値を上回ったと判定した場合、報知手段７４に信号を送る。報知手段７４は、第６のカウント回数判定手段７３からの信号を受けて報知を行う。
【００７４】
報知手段７４による報知により、使用者は、設定手段７２により槽洗いコースを選択して入力設定し、槽洗いコースの運転を開始することにより、洗濯兼脱水槽１８の外面部表面や外槽１７の内面部表面、撹拌翼２４の裏面などに堆積した異物を剥がし、除去することができる。
【００７５】
このように本実施例によれば、給水弁２７および給水ポンプ２８のそれぞれの洗濯行程とすすぎ１回目の動作回数をカウントするので、石鹸カスが最も発生しやすい洗濯時とすすぎ１回目の水道水給水回数と風呂水の給水ポンプ動作回数をカウントすることにより、異物による洗濯兼脱水槽１８の外面部表面や外槽１７の内面部表面の汚染状況をさらに精度よく報知することができ、槽洗いコースを選択することで、洗濯槽内の異物を除去することができ、洗濯物の汚染を未然に防止することができる。
【００７６】
（実施例７）
図８に示すように、制御装置７５は、マイクロコンピュータで構成した制御手段７６を有しており、制御手段７６は、設定手段７７によって設定した運転内容に基づきパワースイッチング手段７８を介してモータ２１、給水弁２７、給水ポンプ２８、排水弁３０などの動作を制御し、洗濯、すすぎ、脱水などの一連の行程を逐次制御する。
【００７７】
第７のカウント手段７９は、洗濯機の運転回数をカウントするもので、設定手段７７により入力した運転内容が終了した時点で運転回数をカウントし、その運転回数を記憶するよう構成している。また、第７のカウント回数判定手段８０は、内部に所定の判定基準値を有しており、第７のカウント手段７９でカウントし記憶した運転回数がその判定基準値を上回るかどうかを判定する。
【００７８】
運転回数設定手段８１は、外部からの入力により第７のカウント回数判定手段８０内部の判定基準値を自在に変更するものである。報知手段８２は、第７のカウント手段７９でカウントし記憶された運転回数が第７のカウント回数判定手段７９の判定基準値を上回った場合、使用者に報知を行うものである。洗濯機の構成など他の構成は上記実施例１と同じであり説明を省略する。
【００７９】
上記構成において動作を説明する。洗濯兼脱水槽１８内に洗濯物を投入した後、設定手段７７により、運転内容を設定し、スタートスイッチ（図示せず）を押して運転を開始する。設定手段７７によって設定した運転内容は、制御手段７６によりパワースイッチング手段７８を介してモータ２１、給水弁２７、給水ポンプ２８、排水弁３０を制御して逐次実行する。
【００８０】
運転内容が終了すると第７のカウント手段７９が運転回数をカウントする。第７のカウント手段７９は、このように設定手段７７により設定した運転内容が終了することによりカウント数を増大していく。そして、第７のカウント手段７９でカウントした運転回数は、第７のカウント回数判定手段８０で判定する。つまり、第７のカウント回数判定手段８０には、所定の判定基準値が設定されており、洗濯機の運転が終了する毎に、第７のカウント手段７９でカウントした運転回数がその判定基準値を上回っていないかを判定する。
【００８１】
そして、第７のカウント回数判定手段８０は、第７のカウント手段７９でカウントした運転回数が判定基準値を上回ったと判定した場合、報知手段８２に信号を送る。報知手段８２は、第７のカウント回数判定手段８０からの信号を受けて、報知を行う。
【００８２】
報知手段８２による報知により、使用者は、設定手段７７により槽洗いコースを選択して入力設定し、槽洗いコースの運転を開始することにより、洗濯兼脱水槽１８の外面部表面や外槽１７の内面部表面、撹拌翼２４の裏面などに堆積した異物を剥がし、除去することができる。
【００８３】
運転回数設定手段８１は、洗濯兼脱水槽１８の外面部表面や外槽１７の内面部表面、撹拌翼２４の裏面などの異物付着が、使用条件によって必ずしも同じタイミングで生じないことに対応するものである。つまり、異物発生、異物付着が比較的早く生じる使用条件の場合は、第７のカウント回数判定手段８０内部の判定基準値を小さくして、早い段階で報知手段８２が報知を行うように設定しておけば、異物による洗濯物の汚染を事前に防止できる。
【００８４】
（実施例８）
図９に示すように、制御装置８３は、マイクロコンピュータで構成した制御手段８４を有しており、制御手段８４は、パワースイッチング手段８５を介してモータ２１、給水弁２７、給水ポンプ２８、排水弁３０などの動作を制御し、洗濯、すすぎ、脱水などの一連の行程を逐次制御する。
【００８５】
第８のカウント手段８６は、給水弁２７の動作回数をカウントするもので、設定手段８７により入力した運転内容が終了した時点で給水弁２７の動作回数をカウントし、記憶するよう構成している。また、第８のカウント回数判定手段８８は、内部に所定の判定基準値を有しており、第８のカウント手段８６でカウントし記憶した給水弁２７の動作回数がその判定基準値を上回るかどうかを判定する。
【００８６】
給水回数設定手段８９は、外部からの入力により、第８のカウント回数判定手段８８内部の判定基準値を自在に変更するものである。報知手段９０は、第８のカウント手段８６でカウントし記憶された運転回数が第８のカウント回数判定手段８８の判定基準値を上回った場合、使用者に報知を行うものである。洗濯機の構成など他の構成は上記実施例１と同じであり説明を省略する。
【００８７】
上記構成において動作を説明する。洗濯兼脱水槽１８内に洗濯物を投入した後、設定手段８７により運転内容を設定し、スタートスイッチ（図示せず）を押して運転を開始する。設定手段８７によって設定した運転内容は、制御手段８４により、パワースイッチング手段８５を介してモータ２１、給水弁２７、給水ポンプ２８、排水弁３０を制御して逐次実行する。
【００８８】
運転内容が進行するとともに第８のカウント手段８６が給水弁２７の動作回数をカウントする。第８のカウント手段８６は、このように設定手段８７により設定した運転内容によって、給水弁２７が動作することによりカウント数を増大していく。
【００８９】
第８のカウント手段８６でカウントした動作回数は、第８のカウント回数判定手段８８で判定する。つまり、第８のカウント回数判定手段８８には、所定の判定基準値が設定されており、洗濯機の運転内容が終了するごとに、第８のカウント手段８６でカウントした動作回数が、その判定基準値を上回っていないかを判定する。
【００９０】
そして、第８のカウント回数判定手段８８は、第８のカウント手段８６でカウントした給水弁２７の動作回数が、判定基準値を上回ったと判定した場合、報知手段９０に信号を送る。報知手段９０は、第８のカウント回数判定手段８８からの信号を受けて報知を行う。
【００９１】
報知手段９０による報知により、使用者は、設定手段８７により槽洗いコースを選択して入力設定し、槽洗いコースの運転を開始することにより、洗濯兼脱水槽１８の外面部表面や外槽１７の内面部表面、撹拌翼２４の裏面などに堆積した異物を剥がし、除去することができる。
【００９２】
給水回数設定手段８９は、洗濯兼脱水槽１８の外面部表面や外槽１７の内面部表面、撹拌翼２４の裏面などの異物付着が、使用条件によって必ずしも同じタイミングで生じないことに対応するものである。つまり、異物発生や異物付着が、比較的早く生じるような使用条件の場合は、第８のカウント回数判定手段８８内部の判定基準値を小さくし、早い段階で報知手段９０が報知を行うように設定しておけば、異物による洗濯物の汚染を事前に防止できる。
【００９３】
また、反対に異物発生や異物付着が、比較的遅く生じるような使用条件の場合は、第８のカウント回数判定手段８８内部の判定基準値を大きくして、洗濯兼脱水槽１８の外面部表面や外槽１７の内面部表面などを洗浄する回数を減らし、洗浄のためのランニングコストや手間を低減することができる。
【００９４】
【発明の効果】
以上のように本発明の請求項１に記載の発明によれば、洗濯槽と、この洗濯槽を内包する外槽と、前記洗濯槽内に水道水を給水する第１の給水手段と、風呂水を給水する第２の給水手段と、前記第１および第２の給水手段の動作回数をカウントするカウント手段と、使用者に報知する報知手段とを備え、前記カウント手段は、前記第１および第２の給水手段のそれぞれの動作回数をカウントし、この両動作回数に異なる係数を乗じ、その乗じた後の両動作回数の和を算出し、前記両動作回数の和が所定回数に達した時点で、前記報知手段により報知するようにし、前記報知手段の報知によって選択可能な槽洗いコースを有するように構成したから、石鹸カスが発生しやすい水道水給水と、湯垢が発生しやすい風呂水給水の給水回数をカウントすることにより、異物による汚染状況をさらに精度よく報知することができて、異物による洗濯物の汚染が発生する前に洗濯槽内の異物除去の必要性を認識することができるとともに、水道水や風呂水の使われ方に応じた異物による洗濯槽内の汚染状態を一段と精度よく報知することができ、槽洗いコースを選択することで、洗濯槽内の異物を除去することができ、洗濯物の汚染を未然に防止することができる。
【００９５】
また、請求項２に記載の発明によれば、洗濯行程とすすぎ１回目での第１の給水手段および第２の給水手段の動作回数をカウントするようにしたから、石鹸カスが最も発生しやすい洗濯時とすすぎ１回目の水道水給水回数と風呂水の給水ポンプ動作回数をカウントすることにより、異物による洗濯槽の汚染状態をさらに精度よく報知することができ、槽洗いコースを選択することで、洗濯槽内の異物を除去することができ、洗濯物の汚染を未然に防止することができる。
【００９６】
また、請求項３に記載の発明によれば、報知手段が動作する給水回数の設定を変更可能にしたから、洗濯機の使用条件に応じて報知手段の報知タイミングを適切に設定することができ、異物による洗濯槽内の汚染状態を洗濯機使用実態に応じて、さらに精度よく報知することができる。
【図面の簡単な説明】
【図１】
本発明の第１の実施例の洗濯機のブロック回路図
【図２】
同洗濯機の縦断面図
【図３】
本発明の第２の実施例の洗濯機のブロック回路図
【図４】
本発明の第３の実施例の洗濯機のブロック回路図
【図５】
本発明の第４の実施例の洗濯機のブロック回路図
【図６】
本発明の第５の実施例の洗濯機のブロック回路図
【図７】
本発明の第６の実施例の洗濯機のブロック回路図
【図８】
本発明の第７の実施例の洗濯機のブロック回路図
【図９】
本発明の第８の実施例の洗濯機のブロック回路図
【図１０】
従来の洗濯機の縦断面図
【符号の説明】
１７  外槽
１８  洗濯兼脱水槽（洗濯槽）
３７  第１のカウント手段
３９  報知手段